(57)【要約】【課題】使用者に紐付けられた収容室内の収容物を間違いなく前記使用者に提供し、履歴管理が容易で不正利用を防止することのできるセキュリティボックス装置を提供すること。【解決手段】予め許可されたユーザのみが開閉可能なセキュリティボックス装置であって、制御手段７ａは、生体認証手段６，７ｂにより認証された生体パターンに紐付けされた収容室２を特定し、対応するロック機構１５により開錠動作し、視認補助手段１２，１９により当該収容室を視覚的に認識可能とする。【選択図】図１
2020157010.tif 000002
【特許請求の範囲】
【請求項１】
予め許可されたユーザのみが開閉可能なセキュリティボックス装置であって、
筐体と、該筐体内に引き出し可能に設けられ、上部開口する複数の収容室と、前記複数の収容室のそれぞれに対し設けられ、前記収容室の施錠及び開錠を行うロック機構と、前記ロック機構の開錠動作を制御する制御手段と、前記制御手段により読み書き可能に設けられ、前記収容室ごとに紐付けられたユーザの生体パターンを記憶する記憶手段と、生体センサを有し、該生体センサにより読み取ったユーザの生体パターンと前記記憶手段に記憶された生体パターンとのマッチングによる認証処理を行う生体認証手段と、前記複数の収容室のいずれが開錠されているかを視覚的に認識可能とする視認補助手段と、を備え、
前記制御手段は、前記生体認証手段により認証された生体パターンに紐付けされた収容室を特定し、対応するロック機構により開錠動作し、前記視認補助手段により当該収容室を視覚的に認識可能とすることを特徴とするセキュリティボックス装置。
【請求項２】
前記視認補助手段は、前記ロック機構が前記収容室を開錠した際に前記収容室を前方へ押し出す押出手段であることを特徴とする請求項１に記載されたセキュリティボックス装置。
【請求項３】
前記視認補助手段は、前記ロック機構が前記収容室を開錠した際に、当該収容室に対応して発光する発光手段であることを特徴とする請求項１または請求項２に記載されたセキュリティボックス装置。
【請求項４】
前記記憶手段は、
記憶している生体パターンに対応するユーザの管理コードと、前記管理コードに対応する当該ユーザに係る複数の情報とを記憶していることを特徴とする請求項１乃至請求項３のいずれかに記載されたセキュリティボックス装置。
【請求項５】
前記収容室を閉じた状態で該収容室と前記筐体側との間の隙間を遮蔽するひさし機構を各収容室に対して備え、
前記ひさし機構は、上部が前記筐体側において回転可能に軸支され、前後方向に回動自在に設けられたひさし本体と、前記ひさし本体を前方に回動する方向に付勢する弾性手段とを有し、
前記ひさし本体は、その下面側において対応する収容室の幅方向に沿って延設された溝部により断面逆Ｕ字状に形成されるとともに、前記溝部を形成する前部下端よりも後部下端が下方に長く形成され、
前記収容室を開いた状態から閉める方向に押し込む際、前記収容室の正面壁の上端が、前記ひさし本体の後部下端に当接し、前記弾性手段の付勢力に抗して前記ひさし本体を直立させる方向に回動させ、該正面壁の上端部が前記ひさし本体の溝部に係合することを特徴とする請求項１乃至請求項４のいずれかに記載されたセキュリティボックス装置。
【請求項６】
予め許可されたユーザのみが開閉可能なセキュリティボックス装置であって、
筐体と、該筐体内に形成された収容室と、前記収容室を開閉可能に設けられた扉と、前記扉の施錠及び開錠を行うロック機構と、前記ロック機構の開錠動作を制御する制御手段と、前記制御手段により読み書き可能に設けられ、予め許可されたユーザの生体パターンを記憶する記憶手段と、生体センサを有し、該生体センサにより読み取ったユーザの生体パターンと前記記憶手段に記憶された生体パターンとのマッチングによる認証処理を行う生体認証手段と、前記収容室内に設置され、収容物を載置するとともに載置された収容物の重量データを前記制御手段に出力する電子秤と、を備え、
前記制御手段は、前記生体認証手段により生体パターンが認証されることにより、前記ロック機構により前記扉を開錠するとともに、前記扉の開閉履歴と前記電子秤から出力される収容物の重量データとを前記記憶手段に記憶することを特徴とするセキュリティボックス装置。
【請求項７】
前記筐体は、複数の前記収容室を有し、前記収容室ごとに予め許可されたユーザの生体パターンが紐付けされ、
前記制御手段は、前記生体認証手段により認証された生体パターンに紐付けされた収容室を特定し、対応するロック機構により前記扉を開錠することを特徴とする請求項６に記載されたセキュリティボックス装置。
【発明の詳細な説明】
【技術分野】
【０００１】
本発明は、セキュリティボックス装置に関し、例えば掌の静脈パターンを用いて個人認証を行う静脈認証などの生体認証手段を用いて、患者などの個人に紐付けられた収容室の開閉制御を行うセキュリティボックス装置に関する。
【背景技術】
【０００２】
病院において入院患者に薬剤を投与する業務は、次のようにして行われる。先ず、医師が指示した処方箋に従って調合された薬剤を各病棟の看護師が配薬し、服薬時間になると、看護師が各病室を回って各患者に１回分の与薬を行っている。また、与薬の確認は、与薬表等をチェックすることにより行われている。
【０００３】
近年、このような与薬業務においては、図１３に示すような与薬カート５０が用いられている。この与薬カート５０には、一般に図示するように複数列且つ多段に引き出し型の収容室５１が設けられ、各収容室５１は１人の患者に対応している。各収容室５１においては、例えば仕切板によって複数スペースに仕切られ、その患者の朝、昼、夕、就寝前など用の薬剤を仕分けて収容できるように構成されている。
【０００４】
従来、このような与薬カート５０を用いた与薬業務を間違いなく行うために、例えば特許文献１では、処方をバーコードで読み取り、そのデータを表示させて処方を確認した後、患者に与薬するようにした医療支援システムが提案されている。
具体的には、例えば患者ごとの処方内容や看護計画に紐づけされたバーコードを印刷したラベルが、前記各収容室の前面に貼付され、看護師が所持する医療用携帯端末で前記バーコードを読み取り、処方内容等を確認してから与薬を行うようにしている。
【先行技術文献】
【特許文献】
【０００５】
【特許文献１】特開２００２−８３０６５号公報
【発明の概要】
【発明が解決しようとする課題】
【０００６】
特許文献１に開示された医療支援システムによれば、各収容室５１に貼付されたバーコードをスキャンすることにより、その中に収容された薬剤に間違いがないかを看護師が確認することができる。
しかしながら、患者自身と収容室５１内の薬剤との紐付けができておらず、収容室５１から取り出した薬剤を例えば隣のベッドの他の患者に与えてしまう等の与薬ミスが生じる虞があった。
【０００７】
また、収容室５１に貼付されたバーコードをスキャンして薬剤を確認した後、周囲の他の収容室５１を間違えて引き出し、その中の薬剤を患者に与薬するミスが生じる虞があった。
また、引き出し式の各収容室５１を閉じた状態で、上部の隙間から異物が収容室内に侵入し、薬剤を収容した袋等を汚染する虞があった。
【０００８】
また、劇薬などの取り扱いに特に注意を要する薬剤は、前記のような与薬カートで運搬されず、例えば施錠可能なキャビネット内で厳重に保管された薬剤を、許可された看護師や医師が所定量取り出して使用場所まで運んでいる。
しかしながら、キャビネット内の保管物の使用履歴を正確に管理することは容易ではなく、特に無断使用などの不正行為に対しては、それを防止する対策ができていなかった。
【０００９】
本発明は、前記した点に着目してなされたものであり、使用者に紐付けられた収容室内の収容物を間違いなく前記使用者に供することができ、履歴管理が容易で不正利用を防止することのできるセキュリティボックス装置を提供することを目的とする。
【課題を解決するための手段】
【００１０】
前記した課題を解決するために、本発明に係るセキュリティボックス装置は、予め許可されたユーザのみが開閉可能なセキュリティボックス装置であって、筐体と、該筐体内に引き出し可能に設けられ、上部開口する複数の収容室と、前記複数の収容室のそれぞれに対し設けられ、前記収容室の施錠及び開錠を行うロック機構と、前記ロック機構の開錠動作を制御する制御手段と、前記制御手段により読み書き可能に設けられ、前記収容室ごとに紐付けられたユーザの生体パターンを記憶する記憶手段と、生体センサを有し、該生体センサにより読み取ったユーザの生体パターンと前記記憶手段に記憶された生体パターンとのマッチングによる認証処理を行う生体認証手段と、前記複数の収容室のいずれが開錠されているかを視覚的に認識可能とする視認補助手段と、を備え、前記制御手段は、前記生体認証手段により認証された生体パターンに紐付けされた収容室を特定し、対応するロック機構により開錠動作し、前記視認補助手段により当該収容室を視覚的に認識可能とすることに特徴を有する。
【００１１】
尚、前記視認補助手段は、前記ロック機構が前記収容室を開錠した際に前記収容室を前方へ押し出す押出手段であることが望ましい。
或いは、前記視認補助手段は、前記ロック機構が前記収容室を開錠した際に、当該収容室に対応して発光する発光手段であってもよい。
また、前記記憶手段は、記憶している生体パターンに対応するユーザの管理コードと、前記管理コードに対応する当該ユーザに係る複数の情報とを記憶していることが望ましい。
また、前記収容室を閉じた状態で該収容室と前記筐体側との間の隙間を遮蔽するひさし機構を各収容室に対して備え、前記ひさし機構は、上部が前記筐体側において回転可能に軸支され、前後方向に回動自在に設けられたひさし本体と、前記ひさし本体を前方に回動する方向に付勢する弾性手段とを有し、前記ひさし本体は、その下面側において対応する収容室の幅方向に沿って延設された溝部により断面逆Ｕ字状に形成されるとともに、前記溝部を形成する前部下端よりも後部下端が下方に長く形成され、前記収容室を開いた状態から閉める方向に押し込む際、前記収容室の正面壁の上端が、前記ひさし本体の後部下端に当接し、前記弾性手段の付勢力に抗して前記ひさし本体を直立させる方向に回動させ、該正面壁の上端部が前記ひさし本体の溝部に係合することが望ましい。
【００１２】
このように構成することにより、例えば看護師が静脈認証を行った患者に与薬する薬剤は、それを与えられる患者と生体認証により紐づけされた収容室内のものであり、前記収容室は生体認証後に自動的に前方に押し出されて開き、或いは発光によっても収容室を容易に特定することができるため、看護師は間違いなく該当する患者への与薬を行うことができる。
また、患者の静脈パターンと患者の管理コードが紐付けされることにより、患者が静脈認証を行うことで、管理コードに予め紐づけされたカルテ情報等を容易に参照することができる。
【００１３】
また、前記した課題を解決するために、本発明に係るセキュリティボックス装置は、予め許可されたユーザのみが開閉可能なセキュリティボックス装置であって、筐体と、該筐体内に形成された収容室と、前記収容室を開閉可能に設けられた扉と、前記扉の施錠及び開錠を行うロック機構と、前記ロック機構の開錠動作を制御する制御手段と、前記制御手段により読み書き可能に設けられ、予め許可されたユーザの生体パターンを記憶する記憶手段と、生体センサを有し、該生体センサにより読み取ったユーザの生体パターンと前記記憶手段に記憶された生体パターンとのマッチングによる認証処理を行う生体認証手段と、前記収容室内に設置され、収容物を載置するとともに載置された収容物の重量データを前記制御手段に出力する電子秤と、を備え、前記制御手段は、前記生体認証手段により生体パターンが認証されることにより、前記ロック機構により前記扉を開錠するとともに、前記扉の開閉履歴と前記電子秤から出力される収容物の重量データとを前記記憶手段に記憶することに特徴を有する。
【００１４】
尚、前記筐体は、複数の前記収容室を有し、前記収容室ごとに予め許可されたユーザの生体パターンが紐付けされ、前記制御手段は、前記生体認証手段により認証された生体パターンに紐付けされた収容室を特定し、対応するロック機構により前記扉を開錠することが望ましい。
【００１５】
このように構成することにより、筐体の扉を開けることができるのは、予め許可された生体認証を行うユーザ（例えば看護師）に限られ、中に保管する物は、制御手段に接続された電子秤上に置かれるため、その計量履歴を管理することができる。即ち、筐体内の保管物を、誰がどのくらいの量を何時使用したかを正確に管理することができ、劇薬などの特に取り扱いに注意すべきものに対する不正使用などの発生を防止することができる。
【発明の効果】
【００１６】
本発明によれば、使用者に紐付けられた収容室内の収容物を間違いなく前記使用者に供することができ、履歴管理が容易で不正利用を防止することのできるセキュリティボックス装置を提供することができる。
【図面の簡単な説明】
【００１７】
【図１】図１は、本発明のセキュリティボックス装置を与薬カートに適用した図であって、本発明の第一の実施の形態を示す斜視図である。
【図２】図２は、図１の与薬カートの一部を他の角度から斜視した断面図である。
【図３】図３（ａ）、（ｂ）は、図１の与薬カートが有する収容室のロック金具と電磁ロック機構との係合関係を示す断面図である。
【図４】図４（ａ）、（ｂ）は、図１の与薬カートが有するひさし機構の断面図である。
【図５】図５は、与薬カートのシステム構成を示すブロック図である。
【図６】図６は、与薬カートにおける一患者への与薬に係る工程を示すフローである。
【図７】図７は、本発明のセキュリティボックス装置を扉開閉式のキャビネットに適用した図であって、本発明の第二の実施の形態を示す斜視図である。
【図８】図８は、図７のキャビネットの扉を開いた状態の斜視図である。
【図９】図９（ａ）、（ｂ）は、扉の把手の周辺部分を示す平断面図である。
【図１０】図１０は、キャビネットのシステム構成を示すブロック図である。
【図１１】図１１は、使用者がキャビネットの収容室に保管する劇薬の容器から所定量の劇薬を使用し、残る劇薬を収容する前記容器をキャビネット内に戻すまでの工程を示すフローである。
【図１２】図１２は、登録済みデータを消去する操作の流れを示すフローである。
【図１３】図１３は、従来の与薬カートの例を示す斜視図である。
【発明を実施するための形態】
【００１８】
以下、本発明にかかるセキュリティボックス装置に係る実施の形態につき、図面に基づいて説明する。本実施の形態におけるセキュリティボックス装置は、例えば病院において用いられ、具体的には入院患者に対し看護師が薬剤を与薬するために用いる与薬カート、或いは劇薬管理用などのキャビネットに適用できるものである。
【００１９】
最初に本発明に係る第一の実施形態について説明する。図１は、本発明のセキュリティボックス装置を与薬カートに適用した図であって、本発明の第一の実施の形態を示す斜視図である。また、図２は、図１の与薬カートの一部を他の角度から斜視した断面図である。
【００２０】
図１に示す与薬カート１は、入院患者への与薬を行うためのカートとして用いる。
この与薬カート１は、複数（図では８つ）の引き出し可能な収容室２が升目状に配置された筐体３と、この筐体３を移動可能とするための複数のキャスター４ａを有する台車４とを備える。
【００２１】
前記収容室２は、図２に示すように上部が開口した箱状に形成され（図２において手前の収容室２は側部断面を示す）、筐体３内に形成されたガイドフレーム１０に沿って引き出す（開く）、或いは押し込む（閉じる）ことが可能に構成されている。尚、前記ガイドフレーム１０は、図２に示すように前部が開口したボックス状に形成され、天板１０ａ、底板１０ｂ、背面板１０ｃ、各収容室２の仕切り板１０ｄ等を有している（側面板は図示せず）。
【００２２】
各収容室２は、図２に示すように上部開口した収容室本体２ａと、収容室本体２ａの正面壁２ａ１に設けられた把手部２ｂと、収容室２の背面壁２ａ２において後方に突出するように設けられたＵ字状のロック金具２ｃとを備える。尚、収容室２をガイドフレーム１０に押し込んだ際に、前記ロック金具２ｃは図２に示すように背面板１０ｃに形成された孔１０ｃ１に挿通され、後方へ突出するようになっている。
【００２３】
また、与薬カート１は、ガイドフレーム１０の背面板１０ｃ外側において複数の収容室２をそれぞれ開閉可能とするための電磁ロック機構１５を有する。この電磁ロック機構１５は、前記収容室２に設けられたロック金具２ｃと係合することにより、収容室２を施錠及び開錠するように構成されている。
【００２４】
また、前記ガイドフレーム１０の前部には、該ガイドフレーム１０と前記収容室２との間の隙間を遮蔽するためのひさし機構２０を備えている。
また、前記ひさし機構２０の下方には、例えば青色に点灯可能なＬＥＤ点灯部１２（発光手段、視認補助手段）が設けられ、後述する静脈認証の結果、或いは収容室２の開閉状態を発光で示すように構成されている。
【００２５】
また、図１に示すように与薬カート１は、前記電磁ロック機構１５等を駆動するための電力を供給する電源部５を備えている。この与薬カート１は、薬剤の運搬に用いるものであるため、前記電源部５はバッテリーを含む構成であることが望ましい。
【００２６】
また、与薬カート１は、筐体３の天板３ａ上に設けられた静脈検出センサ６（生体センサ）を備える。前記静脈検出センサ６は、人間の掌の静脈パターンを検出する装置である。
静脈検出センサ６により検出した静脈パターンは、与薬カート１内、或いは図示しない管理サーバに予め登録した静脈パターンとマッチングを行うために用いられるが、与薬カート１は、そのマッチング処理（認証処理）を行うためのコンピュータ装置７を例えば電源部５上に備えている。
【００２７】
また、図１に示すように筐体３の天板３ａ上には、前記コンピュータ装置７と接続された例えばキーボードからなるコード入力部１１とＬＣＤ（液晶ディスプレイ）などの表示部１３とが設置されている。
前記コード入力部１１は、各患者の管理コード等の入力に用いられ、表示部１３は、処方された薬剤の情報、病名等を含むカルテ情報等の表示、静脈検出センサ６により検出した静脈パターンの認証結果の表示等に用いられる。
【００２８】
次に図３（ａ）、（ｂ）を用いて、各電磁ロック機構１５の構成について詳しく説明する。図３（ａ）は、収容室２のロック金具２ｃと電磁ロック機構１５との係合が解除されている状態（収容室が開状態）を示す断面図である。図３（ｂ）は、収容室２のロック金具２ｃと電磁ロック機構１５とが係合している状態（収容室が閉状態）を示す断面図である。
【００２９】
図３（ａ）、（ｂ）に示すように、このロック機構１５は、前記ロック金具２ｃに係合できるように下方に向けて先端がテーパ状に形成されたプランジャー１６を有する。また、このプランジャー１６を垂直方向に進退動作させるためのソレノイド部１７と、プランジャー１６を下方に付勢するコイルスプリング１８とを有する。
尚、ソレノイド部１７は、ソレノイド本体と、これを駆動するための駆動回路（図示せず）とからなり、前記駆動回路には前記電源部５から電力供給されるとともに、前記コンピュータ装置７から制御信号が供給されるようになっている。
【００３０】
更に前記電磁ロック機構１５は、開錠された際、収容室本体２ａを前方へ押し出し、開錠状態を保持するための押出ピン１９（押出手段、視認補助手段）を有する。この押出ピン１９は、その先端１９ａが図示しないコイルスプリング等の弾性体により弾発力をもって保持されるとともに、図２に示すようにガイドフレーム１０の背面板１０ｃに形成された孔１０ｃ２から収容室２後部側へ突出した状態で設けられている。
【００３１】
このように構成された電磁ロック機構１５においては、図３（ａ）に示すような収容室２が開いた状態から、収容室２を押し込むと、ロック金具２ｃの先端がプランジャー１先端のテーパ部１６ａに当接する。さらに収容室２を押し込むと、ロック金具２ｃはプランジャー１６を押し上げながら前進し、プランジャー１６がロック金具２ｃ先端を乗り越えると、コイルスプリング１８の付勢力によりプランジャー１６が再び下方に移動する。
【００３２】
これにより、図３（ｂ）に示すようにプランジャー１６の先端部がロック金具２ｃの輪の中に挿入されて係合し、ロック状態となる。また、押出ピン１９の先端１９ａがバネの付勢力に抗して後方に押し戻された状態で維持される（ピンの先端１９ａは、収容室２に対し前方への付勢力を与えている状態）。
尚、この収容室２のロック開の状態からロック閉の状態への動作については、ソレノイド部１７の駆動に関係なく行うことができる。また、ロック閉の状態からロック開の状態への動作は、ソレノイド部１７を駆動してプランジャー１６を後退させることにより可能となる。
【００３３】
次に図４（ａ）、（ｂ）を用いて前記ガイドフレーム１０の前部に設けられたひさし機構２０について説明する。
図４（ａ）は、収容室２を閉じた状態のひさし機構２０の断面図であり、図４（ｂ）は、収容室２を開いた状態でのひさし機構２０の断面図である。
尚、図２に示したようにガイドフレーム１０の前部には、収容室２の段（図では２段）毎に断面Ｕ字状のステー部材２１が横方向に延設されており、各ひさし機構２０は、このステー部材２１に沿って取付けられる。
【００３４】
図４（ａ）、（ｂ）に示すように、ひさし機構２０は、例えばゴム樹脂により溝部２２ａを有する断面逆Ｕ字状に形成された、ひさし本体２２を有する。このひさし本体２２の溝部２２ａは、対応する収容室２の幅方向に沿って延設され、図４（ａ）に示すように収容室本体２ａの正面壁２ａ１の上端部に係止可能となされている。この図４（ａ）の状態となれば、ひさし本体２２によりガイドフレーム１０と収容室２との間の隙間が覆い隠され、異物などの侵入が防止される。
【００３５】
前記ひさし本体２２の上部は、ガイドフレーム１０（筐体側）に固定された軸ピン２６により回転可能に軸支され、前記ひさし本体２２は、前後方向（時計方向、反時計方向）に回動自在に設けられている。
また、前記ひさし本体２２の溝部２２ａは、前部２２ａ１下端よりも後部２２ａ２下端が下方に長く形成されている。
それにより、収容室２を前方に引き出した際に、ひさし本体２２が軸ピン２６回りに回動し、正面壁２ａ１ｎ上端部からひさし本体２２の溝部２２ａが容易に外れる（正面壁２ａ１がひさし本体２２から離れる）ように構成されている。
【００３６】
また、図４（ａ）、（ｂ）に示すように、前記ひさし本体２２は、その背面側が板状の固定金具２３に固定され、この固定金具２３には圧縮スプリング２４（弾性手段）の一端が固定されている。一方、前記圧縮スプリング２４の他端は、前記ステー部材２１に形成されたビス留め突起２７に対しビス２８により固定されている。
これにより、圧縮スプリング２４の付勢力が、常にひさし本体２２の裏面側に対し前方に回動する方向（図４（ａ）における時計方向）へ与えられた状態とされている。
【００３７】
また、前記固定金具２３において、前記圧縮スプリング２４の一端が固定される面の上端には、所定の横幅をもって後方に突出する板状突起部２３ａが形成されている。この板状突起部２３ａは、ひさし本体２２の回動を停止する、いわゆるストッパとして機能する。
また、前記圧縮スプリング２４の一端が固定される面の下端側には、所定の縦幅をもって後方に突出する板状突起部２３ｂが形成されている。
この板状突起部２３ｂは、ひさし本体２２と共に回動し、収容室２の開閉状態を検出するための検知用遮蔽部として機能する。
即ち、ステー部材２１の下面には、収納室の状態を検知するインタラプタセンサ（発光素子、受光素子）２３ｃが設けられ、前記板状突起部２３ｂがインタラプタセンサ２３ｃを遮断している場合には収納室が閉じた状態を、遮断していない場合には、収納室が開いている状態を検出する。
【００３８】
このように構成されたひさし機構２０は、図４（ａ）に示すように収容室２を閉じた状態では、ひさし本体２２の溝部２２ａが収容室本体２ａの正面壁２ａ１の上端部に覆いかぶさる状態に係合する。
その状態から収容室２を手前に引き出すと、圧縮スプリング２４の付勢力により軸ピン２６を支点としてひさし本体２２が時計方向に回動し、ひさし本体２２と収容室本体２ａとの係合が解除される。尚、ひさし本体２２の回動は、図４（ｂ）に示すように前記固定金具２３の板状突起部２３ａがステー部材２１に当接することで停止するようになっている。
【００３９】
また、図４（ｂ）に示すように収容室２を開いた状態から収容室２を閉める方向に押し込むと、収容室２の正面壁２ａ１の上端が、ひさし本体２２の後部２２ａ２下端部に当接し、圧縮スプリング２４の付勢力に抗してひさし本体２２を直立させる方向（反時計方向）に回動させる。
収容室２が図４（ａ）に示すように完全に閉まると、収容室２の正面壁２ａ１の上端部がひさし本体２２の溝部２２ａに係合し、それによりひさし本体２２の回動位置が固定される。
【００４０】
続いて、与薬カート１のシステム構成について図５のブロック図に基づいて説明する。図５に示すように与薬カート１は、コンピュータ装置７内に各種演算を行う制御部７ａ（制御手段）と、静脈検出センサ６により検出した静脈パターンを予め登録したパターンとの間でマッチングする生体認証部７ｂ（生体認証手段）と、各種データを記憶する記憶部７ｃ（記憶手段）とを有する。
【００４１】
前記コンピュータ装置７には、コード入力部１１と表示部１３とが接続され、コード入力部１１から各患者の管理コードを入力することによって、処方された薬剤の情報、病名等を含むカルテ情報が表示部１３に表示されるようになっている。尚、管理コードとは、英数字や記号を組み合わせた複数桁からなるコードであり、患者を識別するために従来から病院内で用いられているものである。
更に、例えば管理者が電磁ロック機構１５を開閉できるように、静脈検出センサ６を用いた生体認証に関わらず、このコード入力部１１を用いた暗証番号の入力によって電磁ロック機構１５の開閉制御ができるように構成してもよい。
【００４２】
また、前記コンピュータ装置７内の記憶部７ｃには、予め登録した患者（許可されたユーザ）の静脈データが記録されている他、患者を特定する管理コードとそれに対応するカルテ情報（患者名、性別、年齢、薬剤情報）、与薬時間を知らせるためのアラーム設定時刻情報等が記憶されるようになっている。
【００４３】
尚、記憶部７ｃに登録した患者の静脈データ（生体認証データ）、及び患者に関連するデータは、図１２に示すフローに沿って削除可能となっている。即ち、例えば表示部１３にメニュー画面が表示され、操作者はその中の抹消開始ボタンを選択する（ステップＳＰ１）。
【００４４】
次に登録管理コード、姓名、性別、年齢等の情報を入力する（ステップＳＰ２）。コンピュータ装置７は、入力された管理コード等の情報が正しく、削除可能であるかを判定し（ステップＳＰ３）、削除可能であれば操作者は削除ボタンを選択する（ステップＳＰ４）。これにより記憶部７ｃに登録された当該患者に係るデータが消去される。
【００４５】
また、前記コンピュータ装置７は、与薬カート１とは離れた場所にある管理サーバ２５（コンピュータ）にＬＡＮ接続（有線または無線接続）されている。
尚、一般に病院においては、前記管理コードに紐づけて患者のカルテ情報等を管理サーバ２５で保持し管理しているが、前記患者の静脈データを登録する際、その患者を特定する管理コードと紐付けすることにより、静脈データと前記管理サーバ２５に保持されているカルテ情報とを自動的に紐付けすることができる。即ち、登録する患者の静脈データに対応させて、新たにカルテ情報を入力する必要がない。
【００４６】
また、患者の静脈データと管理サーバ２５内のカルテ情報とが一度紐付けされれば、以後の利用時には、患者が静脈検出センサ６に掌をかざして認証を行うことにより、その患者のカルテ情報を管理サーバ２５側からコンピュータ装置７に読み出すことができる（記憶部７ｃにカルテ情報を記憶してなくてもよい）。
【００４７】
また、コンピュータ装置７と管理サーバ２５とはＬＡＮ接続されているため、記憶部７ｃに必ずしも、患者の静脈データやカルテ情報等を記憶しておく必要はなく、患者に係るデータはすべて管理サーバ２５で管理する構成としてもよい。
尚、記憶部７ｃと管理サーバ２５とに同一患者の同一項目のデータを記憶する場合には、定期的及び一方のデータに更新があったときに、同期処理を自動的に行う仕様となっている。
また、前記した記憶部７ｃからの患者データの削除操作を行った場合、記憶部７ｃからは患者に係るデータを消去しても、管理サーバ２５に登録された当該患者の関連データは消去せず、残していてもよい。
【００４８】
また、制御部７ａには、前述したプランジャー１６、ソレノイド部１７等からなる電磁ロック機構１５と、前記した板状突起部２３ｂ、インタラプタセンサ２３ｃからなる扉（収納室）の開閉状態を検出する扉開閉センサ２９とが接続されている。前記扉開閉センサ２９においては、前記板状突起部２３ｂがインタラプタセンサ２３ｃを遮断している場合には収納室が閉じた状態を、遮断していない場合には、収納室が開いている状態を検出する。
前記扉開閉センサ２９による検出結果は、制御部７ａに送られ、制御部７ａはその検出結果に基づきＬＥＤ点灯部１２の点灯及び消灯の制御を行うように構成されている。
【００４９】
続いて、図６のフローに基づいて、与薬カート１における一患者への与薬に係る工程について説明する。
例えば入院している患者への与薬は、担当看護師が与薬カート１を、患者の入院している病室まで押して移動する。前記看護師は、与薬カート１を例えば患者のベッド横に停車する。
当該患者に対応する収容室２を引き出す前において、扉開閉センサ２９が複数の収容室２のいずれかが開いていることを検出すると、その開状態の収容室２に対応するＬＥＤ点灯部１２が点灯する（ステップＳ１）。
看護師はその開いている収容室２を確認して閉じる（ステップＳ２）。これにより与薬カート１は静脈認証処理を作動可能な状態となり、所定の認証開始設定後、当該患者（ユーザ）の掌を静脈認証センサ６上に載せてもらう。これによりコンピュータ装置７において、読み取った静脈パターンのマッチングによる認証処理が開始される（ステップＳ３）。
【００５０】
掌を載せて所定時間（例えば２０秒）内に認証結果がＯＫであれば（ステップＳ４、Ｓ５）、静脈パターンの一致するパターンに紐付けされた収容室２の電磁ロック機構１５が、プランジャー１６とロック金具２ｃとの係合を解除する（ステップＳ６）。
【００５１】
また、それにより押出ピン１９が収容室２を所定距離だけ前方に押し出す。その結果、扉開閉センサ２９が収容室２の開状態を検出し、その収容室２に対応するＬＥＤ点灯部１２が例えば青色に点灯する（ステップＳ７）。
また、コンピュータ装置７は、収容室２が開状態となった時刻情報を記憶部７ｃに記録する（ステップＳ８）。
【００５２】
看護師は、開いた収容室２から、その時間帯（例えば昼用）に対応する処方済みの薬剤を取り出し、静脈認証を行った患者に与薬する。この与薬した薬剤は、それを与えられた患者と生体認証により紐づけされた収容室２内のものであり、収容室２は生体認証後に自動的に前方に飛び出して開き、ＬＥＤ点灯によっても収容室２を容易に特定することができるため、看護師は間違いなく該当する患者への与薬を行うことができる。
【００５３】
与薬が完了すると、看護師は収容室２を押込んで閉じ、それにより自動的に電磁ロック機構１５が収容室２をロックする（ステップＳ９）。
また、これにより扉開閉センサ２９が収容室２の閉状態を検出し、その収容室２に対応するＬＥＤ点灯部１２が消灯する（ステップＳ１０）。また、コンピュータ装置７は、収容室２が閉状態となった時刻情報を記憶部７ｃに記録する（ステップＳ１１）。
尚、静脈認証開始後のステップＳ４において、所定時間（例えば２０秒）経過後は、認証動作開始不良としてＬＥＤ消灯のまま処理終了する。
【００５４】
以上のように本発明に係る第一の実施の形態によれば、本発明のセキュリティボックス装置を与薬カートに適用した場合、看護師が静脈認証を行った患者に与薬する薬剤は、それを与えられる患者と生体認証により紐づけされた収容室２内のものであり、収容室２は生体認証後に自動的に前方に飛び出して開き、ＬＥＤ点灯によっても収容室２を容易に特定することができるため、看護師は間違いなく該当する患者への与薬を行うことができる。
また、患者の静脈パターンと患者の管理コードが紐付けされているため、患者が静脈認証を行うことにより管理コードに予め紐づけされたカルテ情報等を容易に参照することができる。
【００５５】
続いて、本発明に係る第二の実施形態について説明する。図７は、本発明のセキュリティボックス装置を扉開閉式のキャビネットに適用した図であって、本発明の第二の実施の形態を示す斜視図である。また、図８は、図７のキャビネットの扉を開いた状態の斜視図である。尚、この第二の実施の形態において、前述した第一の実施の形態と重複する部材については、同じ符号で示し、その詳細な説明は省略する。
【００５６】
図７、図８に示すキャビネット１Ａは、例えば病院内に据え置きされ、劇薬等を保管するための収容室として用いる。
このキャビネット１Ａは、立方体形状の筐体３０の前面側にヒンジ３１により開閉可能な扉３２を備える。図７に示すように扉３２には、把手３２ａが設けられている。
【００５７】
また、筐体３０の中には、図示しないが前記第一の実施形態で説明したような電源部５とコンピュータ装置７とを備えている。但し、このキャビネット１Ａは、据え置き使用が主であるため、電源部５はバッテリー型ではなくＡＣ電源からの電力供給を行うＡＣ／ＤＣコンバータを有している。
【００５８】
また、図８に示すように扉３２を開けると、中の収容室３３には、電子秤３４が設けられ、その上に劇薬等を置いて収容できるように構成されている。
この電子秤３４は、コンピュータ装置７に接続され、秤上に置かれた物の重量（重さの計量値）がコンピュータ装置７側で管理される。即ち、コンピュータ装置７においては、扉３２を開閉した時刻情報と、保管されるものが例えば劇薬ならば、その使用量を履歴として記憶できるように構成されている。
【００５９】
また、筐体３０の前面上部には、前記第一の実施の形態と同様に、静脈検出センサ６（生体センサ）を備えている。この静脈検出センサ６は、予め登録された使用者（許可されたユーザ）の静脈パターンのマッチング（認証）のために用いられ、その認証結果によって扉３２の開閉（ロック開錠）が制御されるようになっている。
【００６０】
また、筐体３０の前面上部には、使用者の管理コード等の入力を行うための入力部、例えばタッチパネル３５が設けられ、このタッチパネル３５は、前記コンピュータ装置７に接続されている。尚、タッチパネル３５は、各種情報を表示するための表示部の機能も兼ねている。
また、筐体３０の下には、この筐体３０を移動可能とするための複数のキャスター３０ｂが設けられている。
【００６１】
前記扉３２は、筐体３０に対し電磁ロック機構により開閉可能な構成となされている。図９は、把手３２の周辺を示す平断面図であり、図９（ａ）は扉開状態を示し、図９（ｂ）は扉閉状態を示す。
図９に示すように筐体３０の正面壁３０ｃの裏面には、電磁ロック機構１５Ａが設けられている。
【００６２】
前記電磁ロック機構１５Ａは先端がテーパ状に形成されたプランジャー１６を有する。このプランジャー１６は、正面壁３０ｃの面に沿って水平方向に進退可能に設けられ、扉３２を閉じた際に、扉３２の端部３２ｂ側に突出し、前記端部３２ｂに形成された係止孔３２ｂ１に係止するようになっている。
また、前記電磁ロック機構１５Ａは、プランジャー１６を水平方向に進退動作させるためのソレノイド部１７と、プランジャー１６を正面開口側に付勢するコイルスプリング１８とを有する。
【００６３】
尚、ソレノイド部１７は、ソレノイド本体と、これを駆動するための駆動回路（図示せず）とからなり、前記駆動回路には前記電源部５から電力供給されるとともに、前記コンピュータ装置７から制御信号が供給されるようになっている。
また、このロック機構１５Ａにあっては、前記プランジャー１６を手動により進退させることが可能なシリンダー錠３６が正面壁３０ｃに設けられ、このシリンダー錠３６は、非常時、緊急時の際に使用できるよう鍵が管理される。
【００６４】
続いて、キャビネット１Ａのシステム構成について図１０のブロック図に基づいて説明する。図１０に示すようにキャビネット１Ａは、コンピュータ装置７内に各種演算を行う制御部７ａと、静脈検出センサ６により検出した静脈パターンを予め登録したパターンとの間でマッチングする生体認証部７ｂと、各種データを記憶する記憶部７ｃとを有する。
【００６５】
前記コンピュータ装置７には、前記したタッチパネル３５が接続され、看護師や医師などの使用者の管理コードを入力することによって、保管する劇薬等の情報を参照できるようになっている。
更に、静脈検出センサ６を用いた生体認証に関わらず、このタッチパネル３５を用いた英数字や記号を組み合わせたコードの入力によっても電磁ロック機構１５Ａ（扉３２）の開閉制御ができるように構成してもよい。
【００６６】
また、前記コンピュータ装置７内の記憶部７ｃには、予め登録した使用者の静脈データが記録されている他、使用者の氏名、所属、保管する劇薬などの使用目的等が記憶されるようになっている。
尚、記憶部７ｃに登録した使用者の静脈データ（生体認証データ）、及び使用者に関連するデータは、図１２に示すフローに沿って削除可能である。
【００６７】
また、図１０に示すように制御部７ａには、前記電磁ロック機構１５Ａと、扉の開閉状態を検出する扉開閉センサ２９とが接続されている。尚、この扉開閉センサ２９は、第一の実施形態のように、板状突起部２３ｂ、インタラプタセンサ２３ｃからなる扉（収納室）の開閉状態を検出する扉開閉センサであっても良いが、扉開閉によってＯＮ−ＯＦＦするスイッチであっても良い。
前記開閉センサ２９による検出結果は、制御部７ａに送られ、制御部７ａはその検出結果に基づきタッチパネル部３５への表示制御を行うように構成されている。
【００６８】
また、前記したようにコンピュータ装置７の制御部７ａには電子秤３４が接続され、電子秤３４上に物が載置されている場合には、所定時間毎に測定した計量データが制御部７ａに出力され、計量皿での荷重変化が生じた場合には、その時点での計量データを制御部７ａに出力するように構成されている。
【００６９】
また、前記コンピュータ装置７は、キャビネット１Ａと離れた場所に管理されるコンピュータである管理サーバ２５にＬＡＮ接続（有線または無線）されて利用されてもよい。
その場合、使用者の静脈データ等、記憶部７ｃに記憶するデータの内容を管理サーバ２５に保存し管理する構成としてもよい。
【００７０】
続いて、図１１のフローに基づいて、看護師などの使用者（ユーザ）がキャビネット１に保管する劇薬の容器から所定量の劇薬を使用し、残る劇薬を収容する前記容器をキャビネット１内に戻す工程について説明する。
【００７１】
例えば看護師がキャビネット１内に保管する劇薬を使用する場合、その看護師は、タッチパネル３５に表示される認証開始ボタンを押した後、所定時間内に掌を静脈認証センサ６上に載せる。これによりコンピュータ装置７において、読み取った静脈パターンのマッチングによる認証処理が開始され（ステップＳＴ１）、所定時間（例えば２０秒）内に認証結果がＯＫであれば（ステップＳＴ２、ＳＴ３）、電磁ロック機構１５Ａがプランジャー１６と扉３２の係止孔３２ｂ１との係合を解除する（ステップＳＴ４）。
また、認証結果がＯＫであることがタッチパネル３５上に表示され（ステップＳＴ５）、それを見た看護師は扉３２の把手３２ａを掴んで扉３２を開ける。
【００７２】
ここで扉開閉センサ２９により扉開の状態を示すデータがコンピュータ装置７に送られ、コンピュータ装置７は、その時刻を記憶部７ｃに記録する（ステップＳＴ６）。
看護師は、電子秤３４上に置かれた劇薬の容器を取り出し、所定量を使用する。その後、残りの劇薬を収容する前記容器を再び電子秤３４上に置き、電子秤３４で計量される（ステップＳＴ７）。電子秤３４で計量された劇薬容器の重量は、コンピュータ装置７の記憶部７ｃに記録される（ステップＳＴ８）。
【００７３】
看護師は扉３２を閉じ、それにより自動的に電磁ロック機構１５Ａが扉３２をロックする（ステップＳＴ９）。
また、これにより扉開閉センサ２９が収容室２の閉状態を検出し、コンピュータ装置７はその時間情報を記憶部７ｃに記録する（ステップＳＴ１０）。
尚、静脈認証開始後のステップＳＴ２において、所定時間（例えば２０秒）経過後は、認証動作開始不良としてＬＥＤ消灯のまま処理終了する。
【００７４】
以上のように本発明に係る第二の実施の形態によれば、本発明のセキュリティボックス装置をキャビネットに適用した場合、キャビネット１の扉を開けることができるのは、予め許可された静脈認証を行う使用者（看護師）に限られ、中に保管する物は、コンピュータ装置７に接続された電子秤３４上に置かれるため、その計量履歴を管理することができる。即ち、キャビネット１内の保管物を、誰がどのくらいの量を何時使用したかを正確に管理することができ、劇薬などの特に取り扱いに注意すべきものに対する不正使用などの発生を防止することができる。
尚、第二の実施形態では、１つの収容室の場合を例にとって説明したが、複数の劇薬を管理するために、複数の収容室を設けても良い。
【００７５】
尚、前記第一及び第二の実施形態においては、静脈センサを用いた認証により使用者（患者、看護師等）の本人認証を行うものとしたが、本発明にあっては静脈認証に限らず、指紋認証、虹彩認証など、他の生体認証手段を用いてもよい。
【００７６】
また、前記第一及び第二の実施形態においては、薬剤を保管するセキュリティボックス装置を例に説明したが、本発明にあっては、保管する物は限定されるものではなく、例えば重要な書類などを保存する用途にも好適である。
【符号の説明】
【００７７】
１          与薬カート（セキュリティボックス装置）
１Ａ        キャビネット（セキュリティボックス装置）
２          収容室
３          筐体
５          電源部
６          静脈センサ（生体センサ）
７          コンピュータ装置
７ａ        制御部（制御手段）
７ｂ        生体認証部（生体認証手段）
７ｃ        記憶部（記憶手段）
１１        コード入力部
１２        ＬＥＤ点灯部（発光手段、視認補助手段）
１５        電磁ロック機構（ロック機構）
１５Ａ      電磁ロック機構（ロック機構）
１９        押出ピン（押出手段、視認補助手段）
２４        圧縮スプリング（弾性手段）
２５        管理サーバ
２９        扉開閉センサ
３０        筐体
３２        扉
３３        収容室
３４        電子秤
３５        タッチパネル
３６        シリンダー錠
【図１】
2020157010.tif 000003
【図２】
2020157010.tif 000004
【図３】
2020157010.tif 000005
【図４】
2020157010.tif 000006
【図５】
2020157010.tif 000007
【図６】
2020157010.tif 000008
【図７】
2020157010.tif 000009
【図８】
2020157010.tif 000010
【図９】
2020157010.tif 000011
【図１０】
2020157010.tif 000012
【図１１】
2020157010.tif 000013
【図１２】
2020157010.tif 000014
【図１３】
2020157010.tif 000015